(57)【特許請求の範囲】
【請求項１】
相対抗するように建造物を挟んでとりつけられた送受信アンテナを用いて電波信号を伝送する信号中継装置において、
受信機側のアンテナで受信される電波の強度を検知する手段を有し、
上記電波の周波数が１０ＧＨｚ〜９０ＧＨｚであり、
少なくとも受信機側または送信機側のいずれかのアンテナが、指向性を変化することのできるアンテナであることを特徴とする信号中継装置。
【請求項２】
上記電波が６０ＧＨｚ帯のミリ波であることを特徴とする請求項１に記載の信号中継装置。
【請求項３】
相対抗するように建造物を挟んでとりつけられた送受信アンテナを用いて電波信号を伝送する信号中継装置において、
受信機側のアンテナで受信される電波の強度を検知する手段を有し、
送信機が、無線電波でデータ伝送を受けるようになっており、
少なくとも受信機側または送信機側のいずれかのアンテナが、指向性を変化することのできるアンテナであることを特徴とする信号中継装置。
【請求項４】
相対抗するように建造物を挟んでとりつけられた送受信アンテナを用いて電波信号を伝送する信号中継装置において、
受信機側のアンテナで受信される電波の強度を検知する手段を有し、
上記電波の周波数が１０ＧＨｚ〜９０ＧＨｚであり、
テレビの建造物に接する面に送信アンテナまたは受信アンテナを内蔵し、かつ内蔵した送信アンテナまたは受信アンテナの位置を変化できるようにしたことを特徴とする信号中継装置。
【請求項５】
上記電波が６０ＧＨｚ帯のミリ波であることを特徴とする請求項４に記載の信号中継装置。
【請求項６】
相対抗するように建造物を挟んでとりつけられた送受信アンテナを用いて電波信号を伝送する信号中継装置において、
受信機側のアンテナで受信される電波の強度を検知する手段を有し、
送信機が、無線電波でデータ伝送を受けるようになっており、
テレビの建造物に接する面に送信アンテナまたは受信アンテナを内蔵し、かつ内蔵した送信アンテナまたは受信アンテナの位置を変化できるようにしたことを特徴とする信号中継装置。
【請求項７】
少なくとも受信機側または送信機側のいずれかのアンテナが、指向性を変化することのできるアンテナであることを特徴とする請求項４〜６のいずれかに記載の信号中継装置。
【請求項８】
相対抗するように建造物を挟んでとりつけられた送受信アンテナを用いて電波信号を伝送する信号中継装置において、
受信機側のアンテナで受信される電波の強度を検知する手段を有し、
少なくとも受信機側または送信機側のいずれかのアンテナが、指向性を変化することのできるアンテナであることを特徴とする信号中継装置。
【請求項９】
相対抗するように建造物を挟んでとりつけられた送受信アンテナを用いて電波信号を伝送する信号中継装置において、
受信機側のアンテナで受信される電波の強度を検知する手段を有し、
テレビの建造物に接する面に送信アンテナまたは受信アンテナを内蔵し、かつ内蔵した送信アンテナまたは受信アンテナの位置を変化できるようにしたことを特徴とする信号中継装置。
【請求項１０】
前記受信機側のアンテナで受信される電波の強度を検知する手段が、少なくとも音、光、画像のいずれかによって表示する部分を有することを特徴とする請求項１〜９のいずれかに記載の信号中継装置。
【請求項１１】
信号中継装置のアンテナ周囲に、電波シールド体を配置することを特徴とする請求項１〜１０のいずれかに記載の信号中継装置。
【発明の詳細な説明】
【０００１】
【発明の属する技術分野】
本発明は、建造物を介して、高広帯域信号の伝送を行うための信号中継装置に関するものである。特に、信号中継器の設置場所を容易に設定できる構成の信号中継装置に関する。
【０００２】
【従来の技術】
地上波、衛星放送波などのテレビの放送信号は、屋外のアンテナで受信し、各部屋へケーブルにより電気的に接続し、信号を伝送していた。しかし、ケーブルによる接続では、建物の壁に貫通口が必要で、そのための工事が必要であった。また建物の美観上も好ましくない状況となる場合があった。
【０００３】
上記問題を解決するため、建物の非導電性部分である窓ガラスに相対抗して中継アンテナが設置され、衛星放送受信用中間周波信号中継装置によって、建物の外壁に貫通口を設けること無く情報の伝送を行なう方法が特開平４−１７２７８８号公報に示されている。
【０００４】
【発明が解決しようとする課題】
従来技術に示される窓ガラスのような場合では、透明であるために、中継アンテナを対抗して設置するのは容易であるが、一般の部屋間の壁、床、又は天井などの建造物は不透明であるため、相対抗する位置への設置は、非常に困難で、ましてや正確に相対抗する位置に設置を行うのは不可能であった。
【０００５】
また窓ガラスのような場合では、均質な材料であるためにどの部分に設置しても電波信号が同じように伝送されるため問題ないが、建造物を通した信号の伝送では、建造物内部に、金属製の構造物（ボルトなど）や電力線配線、家屋の骨組み、骨組みの補強材等の電波を反射もしくは吸収して電波の伝送を妨げる障害物が存在し、場所によっては信号が反射、干渉により、正確な信号中継が行えないなどの問題があった。
【０００６】
例として、一般的な日本家屋の場合、図７で示した骨組み構造が見られる。この構成では、壁の中に、柱５０１の骨組みの補強材５０５が存在し、電波を通さない領域が生じる。この補強材５０５は、表からは見えないので、補強材５０５を避けて、中継アンテナを対抗して設置するのに非常な困難を生じた。
【０００７】
本発明は、以上の課題を解決し、中継アンテナを正確に相対抗する位置に設置でき、かつ、電波の伝送を妨げる障害物を避けて設置できる信号中継装置を提供することを目的とする。
【０００８】
【課題を解決するための手段】
本発明の信号中継装置は、相対抗するように建造物を挟んでとりつけられた送受信アンテナを用いて電波信号を伝送する信号中継装置において、受信機側のアンテナで受信される電波の強度を検知する手段を有することを特徴とする。
【０００９】
ここで送受信アンテナを設置する建造物としては、部屋の壁、天井又は床などの平面部が好ましい。
【００１０】
電波の強度を検知してアンテナの位置合わせをできるので、電波強度が最大となる位置に正確に設置できる。ＴＶ画像を見て位置合わせを行う場合は、ＴＶの受信電波は、オートゲインコントローラ（ＡＧＣ）で調整されてからＴＶ画面に出力されるので、少々受信電波が弱くなっても、ＴＶ画面に障害は表れないので、相対抗する位置に正確に設置するのは、非常に困難である。
【００１１】
また、使用する電波の周波数は１０ＧＨｚ〜９０ＧＨｚが好ましい。１〜２ＧＨｚのような低い周波数では、電波のまわりこみが大きいため相対抗する位置に正確にアンテナを設置するのが困難になったり、また携帯電話等他の無線周波数の影響をうけやすく、アンテナの設置が困難である。１０ＧＨｚ〜９０ＧＨｚの周波数は、指向性が高く直進性が高いので、位置あわせが正確に行なえることで最小の出力でシステムが使用でき、また他システムへの妨害を最小限にできると共に、別の効果として、この周波数帯域が空間での減衰、木材での減衰が比較的大きく、漏洩した電波が他のシステムへ妨害を与えることがより少なくなる利点がある。特に６０ＧＨｚの無線周波数は、指向性の点から、屋内のデータ伝送に最適な周波数である。
【００１２】
本発明の信号中継装置は、前記受信機側のアンテナで受信される電波の強度を検知する手段が、少なくとも音、光、画像のいずれかによって表示する部分を有することを特徴とする。
【００１３】
光による表示は、光の強弱、点滅のピッチ、或いは点灯部の数、色で電波強度を表示することが好ましい。特に光の場合は設置後も継続して表示を続けることで環境の変化による伝送条件の変化がないか容易に確認ができ、必要に応じて設置位置の変更を行なうことができる長所がある。
【００１４】
画像による表示は、電波の強度を数値化してＴＶ画面表示することにより正確な位置の設定が可能であり、また、伝送信号の周波数帯域のスペクトル表示を行なうことにより、マルチパスによる受信障害の有無を表示することができ、より適切なアンテナ位置の設定が可能となる。
【００１５】
音による表示は、音の強弱、高低、パルス音のピッチなどが好ましい。特に、送信アンテナの位置を調整しているときは受信アンテナ部を見ることができない場合が多いので音による表示であれば壁の向こうの音を聞くことが通常可能でありアンテナの設置が容易となる。また、受信機の設置の場合でも、家具の隙間など、手探りでの設置の場合で目視できない場合でも設置が可能となる。
【００１６】
また、それらの組み合わせによって上記の長所を組み合わせることが可能であり、より適切な安定した中継器の設置、運用が可能となる。
【００１７】
本発明の信号中継装置は、少なくとも受信機側または送信機側のいずれかのアンテナが、指向性を変化することのできるアンテナであることを特徴とする。
【００１８】
建造物を介して、相対抗する位置に信号中継装置のアンテナを配置する時、当初、アンテナの指向性を弱くしておき、粗い位置合わせを行い、その後、徐々に指向性を強くし、細かい位置合わせを行うことで、位置合わせを容易に正確に行うことができる。最終的にはできるだけ指向性の高い状態でアンテナを使用することが好ましい。これは、前記に説明したように最小限度の出力で送信することで他のシステムへの妨害を最小限にすることが好ましいためである。
【００１９】
本発明の信号中継装置は、信号中継装置のアンテナ周囲に、電波シールド体を配置することを特徴とする。
【００２０】
電波シールド体としては、電波を吸収する電波吸収体、または電波を反射する電波反射体を用いることができる。あるいは、これらを組み合せて用いてもよい。
【００２１】
中継器のアンテナ以外の筐体によって電波が多重反射されることでマルチパスが生じ、送受信機が正面で対抗する位置から少しずれたところに電波が弱くなる場所が生じ、位置あわせが困難になる場合があるが、反射波を電波吸収体で吸収することで位置合わせを容易に正確に行うことができる。また、別の効果として、電波の外部への漏洩を防ぐと共に、外部からの混信を防ぐ効果がある。その場合、電波吸収体と電波反射体を組み合わせることで、より効果を大きくすることができる。
【００２２】
本発明の信号中継装置は、テレビの建造物に接する面に送信アンテナまたは受信アンテナを内蔵し、かつ内蔵した送信アンテナまたは受信アンテナの位置を変化できるようにしたことを特徴とする。
【００２３】
建造物に接する面とは、壁掛け型のテレビの背面、もしくは据え付け型のテレビの底面を指す。当然、壁掛け型テレビの背面の場合は中継器のアンテナは隣の部屋の中継器と相対抗することとなり、据え付け型テレビの底面の場合は階下の部屋の中継器と相対抗することとなる。壁掛け型テレビの場合は、対抗する中継器が両方ともテレビに内蔵されたものである場合もありうる。
【００２４】
これにより中継装置までのケーブル配線が不要となり、信号の伝達損失を低減できると共にケーブルの取り回しによる部屋の景観をそこなうことがない。つまり、送信機側をテレビに内蔵する場合は、信号をテレビで利用しているので中継器はその信号をそのまま利用できるわけであり、受信機側をテレビに内蔵する場合は相対抗する部屋から信号を伝送するのでテレビのある部屋の景観が良好に維持できることになる。また内蔵した双方のアンテナの位置がＴＶを動かすことなく移動可能とすることで、建造物内の障害物を避けて、アンテナの設置が可能となる。
【００２５】
さらに、アンテナ周囲の電波シールド体をテレビの建造物に接する面に設置してもよく、これにより景観を害すること無く、電波シールド体をより広く設置することが可能となり位置あわせ、混信防止の面で効果が大きい。
【００２６】
【発明の実施の形態】
以下、図面を参照して本発明の実施の形態について説明する。
【００２７】
高速広帯域信号の伝送を行うため、高い無線周波数として、以下の実施の形態では、６０ＧＨｚ帯（通常５９〜６４ＧＨｚ）のミリ波を用いた。６０ＧＨｚ帯のミリ波は、酸素・水素による吸収が大きく、隣接した家との間での遮断が用意であり、部屋間での伝送には、適した周波数である。
【００２８】
（実施の形態１）
図１は、本発明の信号中継装置の一実施形態を示す概念図である。部屋の壁をはさんで、相対抗するようにとりつけられたアンテナを用いて電波信号を伝送する信号中継機及びその周辺機器が示されている。部屋の壁１０９は、建造物１１０で構成され、建造物１１０間は、ほとんど空洞になっているが所々に、電波を透過しない障害物である壁の補強材５０２が存在する。補強材以外にも金属製の構造物（ボルトなど）や電力線配線、家屋の骨組み等、電波を反射もしくは吸収して電波の伝送を妨げるものはすべて障害物となる。
【００２９】
衛星放送はＢＳアンテナ１２０、ＣＳアンテナ１２１で夫々受信し、ブロックコンバータ１０７で１〜２ＧＨｚ帯の中間周波数帯に変換した後、同軸ケーブル１２３で信号中継装置の送信機１０１に配線する。
【００３０】
送信機に伝送したデータは、アップコンバータ１０３で１〜２ＧＨｚ帯から６０ＧＨｚ帯（５９〜６４ＧＨｚ）に変換し、送信アンテナ１０５から受信機１０２に伝送した。受信アンテナ１０６で受けたデータは、ダウンコンバータ１０４で１〜２ＧＨｚ帯の中間周波数に変換し、同軸ケーブル１２３でブロックコンバータ１０８に送りここで各信号に変換し、それぞれのＴＶ受像機に伝送した。受信機１０２には、受信側のアンテナで受信する電波の強度を知るために、電波強度を表示する部分１１１を設置した。
【００３１】
電波の強度を表示する部分１１１として、音の大きさで電波の強度がわかるようにした。音が最大となるように設置すればよく、容易に受信アンテナの設置を行うことができ、また建造物内の障害物５０２を避けて設置を行うこともできる。また、壁の向こうでも聞こえるような音量にすることで、送信アンテナの調整を行うことも容易となる。さらに、家具の隙間等、目視できないところにも設置が可能となり、設置範囲が広くなった。
【００３２】
またＴＶ等の画面を見ずに電波の最適伝送条件がわかるので、いちいち移動せずにアンテナの設置を行うことができる。ＴＶの画像が写らない場合や、画像が乱れない程度に電波強度が低下した場合でも、アンテナの設置が可能となる。
【００３３】
以上のように、アンテナと一体化された中継器の設置場所を決定する際、設置場所を動かした場合にその時々の電波強度がわかるため、相対抗する位置へのアンテナの設置が正確かつ容易となった。
【００３４】
本実施形態では、音の強弱を用いたが、パルスの周期あるいは高低の変化でも、同様に容易に設置を行うことができる。
【００３５】
（実施の形態２）
実施の形態１では電波の強度を表示する部分１１１として音を用いたが、音の代わりに光を用いた例について述べる。全体の装置構成は、図１と同様である。
【００３６】
図２（ａ）は、ＬＥＤを用いたレベルメータを使用した場合のＬＥＤ表示例である。図２（ａ）では、電波強度が１３１のラインまでＬＥＤが点灯し、４ｍＷの電波強度である。また同時に、最大電波強度を常時記憶してその強度位置を点灯するようにした。図２（ａ）では１３２が最大電波強度を示し、現在までの最大電波強度が７ｍＷであることを示している。
【００３７】
送信アンテナの正面位置から壁の面に沿ってＸｍｍ離れた地点での電波強度を測定したところ、壁の厚さが３００ｍｍの時、図２（ｂ）のようになった。図２（ｂ）の縦軸は、正面での最大Ｇａｉｎを０ｄＢとし、最大値とのＧａｉｎの差を表している。送信アンテナの正面位置から約５０ｍｍ、７０ｍｍ、９０ｍｍ離れたところで、電波強度が強め合う地点があったが、最大電波強度が常に表示されることで、アンテナの最適位置への設置を容易に行うことができた。また、継続して最大電波強度をレベルメータで表示することにより、伝送条件の変化が一目でわかり、必要に応じて設定位置を調整することができた。
【００３８】
上記実施の形態では、発光材料としてＬＥＤを用いたが、電球など他の材料を用いても同様の結果が得られた。電波強度をＬＥＤレベルメータで表示する代わりに、光の強弱、あるいは光の点滅の周期を用いて表示しても同様な結果が得られた。
【００３９】
また、電波強度の数値をＴＶ画像で表示してもよい。この場合、実際の電波強度がより正確にわかり、より正確に設置することができる。
【００４０】
ＬＥＤのレベルメータ表示に加えて、実施の形態１で用いた音による表示を組み合わせて用いてもよい。ＬＥＤレベルメータだけでは送信機側の調整を行うことができなかったが、音の変化でも電波強度がわかるため、建造物の向こうでも音を聞きながら調整できるようになり、より正確に、容易に設置を行うことができる。また、調整後、実際に信号中継装置を使用する場合には、位置合わせに用いた音を消して使用するため、音による表示の場合には使用中の伝送条件の変化がわからなかったのが、レベルメータにより一目で確認でき、必要に応じて設定位置を調整することができるようになる。
【００４１】
（実施の形態３）
つぎに、送信側のアンテナの指向性を変化させて正確に位置合わせをする例について述べる。
【００４２】
図３（ａ）は、部屋の壁１０９をはさんで、相対抗するようにとりつけられたアンテナを用いて電波信号を伝送する信号中継機及びその周辺機器のブロック図である。全体構成図は図１と同様である。同軸ケーブル１２３から信号中継装置の送信機２０１に伝送されたデータは、壁を通して受信機１０２に伝送され、さらに同軸ケーブル１２３からデータ伝送される。
【００４３】
送信機２０１から出力する電波の指向性は、変化できる構成とした。ここで用いた送信機２０１の構成の詳細図を、図３（ｄ）に示す。送信アンテナ２０５の前にレンズ２１０が設置されている。６０ＧＨｚ程度高い無線周波数では、電波は光のようにふるまい、送信アンテナ２０５とレンズ２１０の距離を変えることで指向性を変化させることができる。実際には、アンテナ２０５の位置を、Ｂポイントから徐々にＡポイントに移動させることで、指向性を変えることができた。フェイズドアレイアンテナを用いて電波の指向性を変化させてもよい。
【００４４】
ビーム幅は、角度αで示した。ビーム幅は、一般的には最大Ｇａｉｎから−３ｄＢ下がった位置で定義されるが、本実施の形態では、−３ｄＢ下がったところではデータ伝送に問題を生じなかったので、最大Ｇａｉｎから−１０ｄＢ下がった位置で定義を行い、特にその位置とアンテナの中心とを結んだ線でなすを角の２倍をαとして表した。送信アンテナ２０５の指向性が変化できず小さかったとき（図３（ｃ））、最初の位置決めが非常に困難であったが、ビーム幅を１４０°に広げて受信装置１０２の位置をおおまかに決め（図３（ａ））、徐々にビーム幅を小さくしながら、電波強度が最大となるようにアンテナの位置の調整を行った結果、最適位置にアンテナを設置することができた（図３（ｂ））。
【００４５】
指向性を変化できることで、容易に最初の位置決めができ、短時間で装置の設置を行うことができる。また、位置合わせ後の実使用に際しては、信号中継装置間の不要電波を低減するように、指向性を再調整することで、より正確なデータ伝送ができる。
【００４６】
（実施の形態４）
次に、信号中継機の周囲に電波シールド体を配置した場合の例について述べる。
【００４７】
図４は、部屋の壁１０９をはさんで、相対抗するようにとりつけられたアンテナ１０５、１０６を用いて電波信号を伝送する信号中継機及びその周辺機器のブロック図である。装置構成は、無線電波で信号中継装置の送信機１０１にデータ伝送を行った。
【００４８】
送信機にデータは、アップコンバータ１０３で１〜２ＧＨｚ帯から６０ＧＨｚに変換し、送信アンテナ１０５から受信機１０２に伝送した。受信アンテナ１０６で受けたデータは、ダウンコンバータ１０４で１〜２ＧＨｚ帯の中間周波数に変換し、無線電波でＴＶまでデータ伝送した。
【００４９】
受信機１０２には、受信側のアンテナで受信される電波の強度を表示する部分１１１を設置した。送信アンテナ１０５および受信アンテナ１０６の周囲には、電波シールド体３０１を配置した。電波シールド体３０１は、吸水樹脂でゲル状のものを密封したものからなる電波吸収体を建造物側に、金属板で構成した電波反射体を部屋側になるように構成した。
【００５０】
電波シールド体３０１を設置したので、建造物内での不要電波の乱反射の低減、外部領域からの建造物内への不要波の侵入の低減、外部への不要波のもれの低減ができ、信号中継装置の位置合わせ時の電波強度測定の精度が向上し、正確な位置合わせが容易となった。また、不要波の低減で正確なデータ伝送を行うことができるようになった。
【００５１】
電波吸収剤としては、木板を用いても、同様の結果が得られた。また電波反射体としては、導電性材料であればよく、メッシュでもよい。
【００５２】
本実施の形態では、無線電波で、信号中継装置まで、データ伝送し、中継後、ＴＶまで無線でデータ伝送を行ったが、このように無線電波を用いた場合でも、位置合わせを容易に正確に行うことができ、図１のように同軸ケーブルを用いた時と同様に信号中継を行うことができた。また別の効果として、無線電波を用いたことで、信号中継装置までの配線が不要となり、部屋の景観を損なうことがなかった。
【００５３】
無線電波で信号中継装置までデータ伝送した例を示したが、同軸ケーブルを用いてデータ伝送を行っても、建造物内部での不要電波が低減され、容易に正確な位置合わせを行うことができる。
【００５４】
また実施の形態３のように送信アンテナの指向性を変えて位置合わせを行った場合も、不要電波の干渉、反射が低減され、位置合わせの電波の強度の測定精度が上がり、装置の設置がより容易となった。
【００５５】
本実施形態の建造物１１１の厚さは１０ｍｍで、６０ＧＨｚでの電波減衰量は−８ｄＢｍであったが、１０〜９０ＧＨｚの範囲の信号を用いても、同様にアンテナの設置を行うことができた。
【００５６】
（実施の形態５）
図５は、本発明の信号中継装置の別の実施形態を示す概念図である。図５（ａ）には、壁掛けＴＶ４０１に信号中継装置の受信機１０２が内蔵された例の全体図を示し、図５（ｂ）には、壁掛けＴＶ４０１の背面図を示す。部屋の壁１０９に相対抗してアンテナが設置されるように、送信機１０１と壁掛けＴＶ４０１を設置した。信号中継装置の構成は、図１と同様である。
【００５７】
信号中継装置の送信機１０１から、壁掛けＴＶ４０１に内蔵した受信機１０２にデータ伝送し、受信した電波は、壁掛けＴＶ４０１に直接データ伝送を行った。壁掛けＴＶ４０１に内蔵した受信機１０２の位置は、４０２の大きさの範囲で変えることができる構造とし、受信機１０２周辺には電波シールド体３０１を設けた。
【００５８】
壁掛けＴＶまでの配線が不要となり、部屋の景観を維持することができた。また受信機１０２の位置が変化できるため、建造物内に障害物５０２があった場合も、壁掛けＴＶ４０１を動かさず、受信機１０２を動かすだけで、建造物を避けて、容易にアンテナの設置を行うことができた。
【００５９】
また部屋の景観を損なうことなく、電波シールド体３０１をより広く設置することができ、広く設置することで、効果的に不要波が低減され、信号中継装置の位置合わせを正確に容易に行うことができた。また、別の効果として、正確なデータ伝送を行うことができた。
【００６０】
本実施の形態において、ＴＶ画面に電波信号の周波数帯域のスペクトル表示を行い、マルチパスによる受信障害の有り無しを表示してもよく、また電波強度を数値化して表示ししてもよい。より正確な位置合わせを行うことができる。
【００６１】
また壁掛けＴＶに信号中継装置の両方が内蔵され、信号中継装置を相対抗するように設置した時も同様に、５０２を避けて、アンテナを容易に設置し、また正確な信号中継を行うことができた。
【００６２】
（実施の形態６）
つぎに、信号中継装置を用いて、異なる階の間をデータ伝送する実施の形態を図６に示す。信号中継装置の受信機１０２はＴＶ４１０に内蔵し、送信機１０１は、天井４１６に設置した。内蔵した受信機１０２の位置は可変で、受信機１０２周辺に電波シールド体を設けることは図５と同様である。
【００６３】
日本家屋は、一般的に骨組みを形成している柱４１１、４１８、床板４１２、畳４１３で構成されている。電波強度表示がついているので、容易に信号中継装置を設置することができた。また、４１８のような電波を遮蔽する障害物となる柱が存在するときも、ＴＶ４１０を動かすことなく、柱を避けて、最適位置に容易に信号中継装置を設置することができた。また別の効果として、受信機からＴＶまでの配線が不要であるため、配線でのデータ損失がなくなり、より正確なデータ伝送を行うことができた。
【００６４】
【発明の効果】
本発明の信号中継機によれば、中継機それぞれのアンテナの位置が同時に把握できない状況でも、容易に相対抗する位置にアンテナの設置を行うことができる。
【００６５】
電波強度が検知でき、最大となる電波強度がわかるので、電波強度が最大となる位置に、アンテナ設置を行うことができる。
【００６６】
またアンテナの周囲に電波シールド体を配置することで、不要波の建造物内での多重反射、建造物外への電波の漏洩、外部からの建造物内への電波の漏洩が低減され、電波強度の測定精度が向上し、位置合わせを容易に正確に行うことができる。
【図面の簡単な説明】
【図１】本発明の信号中継装置示す概念図である。
【図２】本発明の光を用いた表示例および電波強度分布を示す図である。
【図３】本発明のアンテナの指向性を変化させる例を示す図である。
【図４】本発明の信号中継機の周囲に電波シールド体を配置した場合の例を示す図である。
【図５】本発明の信号中継装置の受信機が内蔵された壁掛けＴＶの例を示す図である。
【図６】本発明の信号中継装置を用いて異なる階の間をデータ伝送する例を示す図である。
【図７】一般的な日本家屋の骨組み構造を示す図である。
【符号の説明】
１０１、２０１…送信機
１０２…受信機
１０３…アップコンバータ
１０４…ダウンコンバータ
１０５、２０５…送信アンテナ
１０６…受信アンテナ
１０９…部屋の壁
１１０…建造物
１１１…電波強度を示す部分
１３１…ＬＥＤ点灯部分
１３２…最大電波強度を示すＬＥＤ点灯部分
２１０…レンズ
３０１…電波シールド体
３１０…アンテナ
４０１…壁掛けＴＶ
４１０…ＴＶ
４１１、４１８、５０１…柱
５０２…障害物
５０５…補強材
【図１】
0003628548.tif 000002
【図２】
0003628548.tif 000003
【図３】
0003628548.tif 000004
【図４】
0003628548.tif 000005
【図５】
0003628548.tif 000006
【図６】
0003628548.tif 000007
【図７】
0003628548.tif 000008